(57)【要約】【課題】看板の枠体に設置した回転軸を遠隔操作モーターで駆動することで、照明器具のランプの交換または表示板(表示シート)の交換を路上で容易にする。【解決手段】看板１の枠体内に設置される照明器具７の巻き上げ巻き下し用回転軸２と、看板１の枠体の表裏に取付ける表示板１３の巻き上げ巻き下し用の２本の回転軸３（３ａ，３ｂ）とをそれぞれ枠体に設け、軸の左右に設けた巻き取り枠１０，１１に巻き取り可能にしたチエーン又はワイヤー１２ａ，１２ｂに着脱可能に取付けた表示板１３と巻き取り枠９に巻き取り可能にしたチエーン又はワイヤー８に着脱可能に取付けた照明器具７の案内溝６ａ，６ｂを看板枠の左右内側に設けて、前記回転軸２を駆動する減速器付き正逆回転可能なモーター４ｂと、回転軸３（３ａ，３ｂ）を駆動する減速器付き正逆回転可能なモーター４ａを設けて路上から遠隔操作可能にした照明ランプおよび表示板の交換装置。【選択図】図１
2006047513.tif 000002
【特許請求の範囲】
【請求項１】
看板の枠体内に設置される照明器具の巻き上げ巻き下し用回転軸と、枠体の表裏に取付ける表示板の巻き上げ巻き下し用の２本の回転軸とをそれぞれ枠体に設け、各々の回転軸には該軸の左右に巻き取り枠９，１０，１１を設けて、巻き取り枠１０，１１に設けたチエーン又はワイヤー１２ａ，１２ｂに着脱可能に取付けた表示板と巻き取り枠９に設けたチエーン又はワイヤー８に着脱可能に取付けた照明器具を吊り上げているチエーン又はワイヤーを案内して摺動させる案内溝を枠体の左右内側に設けて、照明器具の巻き上げ巻き下し用回転軸を駆動する減速器付き正逆回転可能なモーターと表裏看板の表示板の巻き上げ巻き下し用回転軸を駆動する減速器付き正逆回転可能なモーターとを設けて両モーターを遠隔操作するようにしたことにより、交換容易な看板の照明ランプ及び表示板の交換装置。
【発明の詳細な説明】
【技術分野】
【０００１】
本発明は、照明ランプ及び表示板の交換が容易な看板に関するものである。
【背景技術】
【０００２】
看板の照明器具や看板の広告表示用の表示板は、照明ランプの消耗やテナントの交代による広告媒体の変更により、随時に交換する必要が生じる。その場合に建物の外壁に設置してある看板にはめ込まれた表示板の取替えや照明ランプの交換のために高所での作業となり、作業用のクレーンの設置や足場を設置する場所が必要になりその費用も高くなるので、看板のメンテンナンスも容易ではない。
【０００３】
しかし、できるだけ低い位置で照明器具や表示板の交換作業を容易にすることができるようにする場合、照明器具の取替え、表示板の取替えを容易にするために照明器具や表示板の位置を出来るだけ低くしてある。これは通行上も好ましくない。また、作業に使用する機械器具の設置や足場の設置をするために、長時間の作業場所の確保が容易にできないという欠点があった。
【０００４】
一般看板の照明器具や表示板の一部を取り替える場合において、この欠点は交換作業に関して大きな障害である。具体的には、交換することが不要な照明器具をもすべて交換したり、作業を行う際には道路の一部通行を長時間遮るなどの問題があった。
【０００５】
この改善策として、特許文献２の看板本体内部に設置した照明器具を移動可能にした昇降手段と開閉扉を構成する方法もあるが、看板自体の厚みがさらに大きくなり、地上から開閉扉の位置の高さまでには脚立や足場を組む作業も煩雑になる。特許文献４，５のように、照明器具をワイヤーで吊り上げる方法もあるが、照明器具を昇降させる手段を設ける必要があり、そのために照明器具を吊り上げるチエーン又はワイヤーをエンドレスにして、地上に看板を設置することが必要になる。
【特許文献１】特開２００１−１２５５１５号公報
【特許文献２】特開２００１−０６７０２８号公報
【特許文献３】特開２０００−１４８０５３号公報
【特許文献４】実用新案登録第２５８９１２２号公報
【特許文献５】実用新案登録第３０６８３６６号公報
【発明の開示】
【発明が解決しようとする課題】
【０００６】
解決しようとする問題点は、看板を建物の外壁に設置する場合には照明器具の照明ランプや表示板の交換作業において、照明器具や表示板の重量があり大きな荷重を手繰りで昇降する操作において、路上から低い位置に昇降ハンドルを設置できない点が障害となる。
【課題を解決するための手段】
【０００７】
本発明は、ビルの外壁に設置した看板の内部照明ランプ又は広告用表示板を常に路上で交換可能とするため、看板の枠体に設けた回転軸により巻き上げ巻き下ろしできるようにしたチエーン又はワイヤーに照明器具又は表示板を着脱可能に取付けて、回転軸を正逆回転させる減速器付き正逆回転可能なモーターを看板の枠体に設けてこれを路上より遠隔操作して昇降することを最も主要な特徴とする。
【発明の効果】
【０００８】
本発明の看板は、枠体に設けた減速器付き正逆回転可能なモーターで回転軸を回転させ、モーターの遠隔操作盤を用いて回転軸に設けた巻き取り枠に巻き上げ巻き下しできるようにしたチエーン又はワイヤーに着脱可能に取付けた照明器具又は表示板を昇降停止するため、路上にて高所作業の足場や作業車の設置をすることなく遠隔操作により交換対象の照明器具や表示板を交換することができるという利点がある。
【発明を実施するための最良の形態】
【０００９】
照明器具又は表示板を遠隔操作で昇降して路上から可能な限り低位置で交換するという目的を、看板の厚みを厚くする必要はなく実現した。
【実施例１】
【００１０】
図１〜７は、本発明装置の実施例１のチエーン又はワーヤーに照明器具を着脱可能に取付けた看板枠体の内部構造を表示する説明図である。図８は、実施例１のチエーン又はワーヤーに表示板を着脱可能に取付けた看板枠体の内部構造を説明する拡大正面図である。  
１は、  看板、  ２は、  照明器具の巻上げ巻き下し用回転軸、  ３，３ａ，３ｂは、    表示板の巻上げ巻き下し用回転軸、  ４ａ，４ｂは、  正逆回転可能な減速器付きモーター、  ６ａ，６ｂは、  チエーン又はワイヤーの案内溝、  ８は、  照明器具の昇降用チエーン又はワイヤー、  ９，１０，１１は、  チエーン又はワイヤーの巻き取り枠、  １２ａ，１２ｂは、  看板の表裏に設けた表示板の昇降用チエーン又はワイヤー、  １３は、  表示板（広告文字などを表示するためのプレート若しくはシートを意味する。）、  １４は、  表示板の着脱用取付け板、  １５，１６，１７は、  滑りローラ又はスプロケットである。
【００１１】
照明器具と表示板の交換容易な看板の実施例を示す。
看板１の枠体内に設置される照明器具７の巻き上げ巻き下し用回転軸２と、看板１の枠体の表裏に取付ける表示板１３の巻き上げ巻き下し用の２本の回転軸３（３ａ，３ｂ）とをそれぞれ枠体に設け、各々の回転軸にはチエーン又はワイヤー等の巻き取り枠９，１０，１１を同軸の左右に設けて、巻き取り枠１０，１１に巻き取り可能にしたチエーン又はワイヤー１２ａ，１２ｂを看板の両側に振り分けるためにローラ又はスプロケット１５，１６，１７を設けて、チエーン又はワイヤー１２ａ，１２ｂの取付け位置に表示板１３を取付け板１４で着脱可能に取付けた。表示板１３を吊り上げているチエーン又はワイヤーと、巻き取り枠９に巻き取り可能にしたチエーン又はワイヤー８に着脱可能に取付けた照明器具７を吊り上げているチエーン又はワイヤーを案内して摺動させる案内溝６ａ，６ｂを看板枠の左右内側に設けてある。照明器具の巻き上げ巻き下し用回転軸２を駆動する減速器付き正逆回転可能なモーター４ｂと、表裏看板の表示板１３の巻き上げ巻き下し用回転軸３ａ，３ｂを駆動する減速器付き正逆回転可能なモーター４ａを設けて、これらのモーターを遠隔操作するようにした。操作盤の操作者は、地上で建物の外壁に設けた看板の内部にある前記のモーターを遠隔操作することにより、巻き取り枠９，１０，１１にそれぞれ巻き取られるように設けたチエーン又はワイヤーを降下させて、それぞれに着脱可能に取付けた照明器具７や表示板１３を保守点検するためにその作業に際して何ら高所作業機械や足場の設置を要せずに、地上にて照明器具７のランプ５の交換や表示板１３の交換その他の看板の保守点検作業が容易にできるようにしたものである。
【００１２】
回転軸２，３（３ａ，３ｂ）に設けた巻き取り枠９，１０，１１に巻き取り巻き戻し可能にしたチエーン又はワイヤー８，１２ａ，１２ｂを昇降させるために電気的な遠隔操作盤による減速器付き正逆回転可能なモーター４ａ，４ｂを採用したので、看板を建物の外壁の低位置に設置することなく、回転軸に設けた巻き取り枠９，１０，１１に巻き取り巻き戻し可能にしたチエーン又はワイヤーに取付けた照明器具７や表示板１３を地上まで降下できる。従って、路上の操作者には足場等の設置が不要になり交換その他の保守作業が容易になる。さらに、外壁の看板１の最下部を路上より高い位置に設置しても、長いチエーン又はワイヤーを用いて、高い位置にある照明器具や表示板の交換箇所を路上まで下ろすことができる効果がある。作業機械や足場の設置のわずらわしさを要せずメンテナンス費用を節減できる。
【００１３】
実施例は、看板の照明器具の交換と表示板の交換の作業性が良いことが要となるので、この照明器具と表示板を着脱自在に取付けたチエーン又はワイヤーの昇降を遠隔操作させる機能は看板のメンテナンス向上におおいに役立つものである。安全上の配慮から、看板の枠体に設けた回転軸に取付けたチエーン又はワイヤーにはソレノイドロックなどの安全装置を設けて、通電しなければロックがかかるようにすることが必要になる。  
【産業上の利用可能性】
【００１４】
看板の枠体に取付けた減速器付き正逆回転可能なモーターの遠隔操作盤を用いて路上からチエーン又はワイヤーを昇降させることができ、モーターを遠隔操することによって路上から操作者による遠隔操作で照明器具や表示板の交換が容易になる。表示板は広告の文字などを表示するものであるが、これはチエーン又はワイヤーに取付けてある。表示板はプレート又はシートを取付けても良い。
【図面の簡単な説明】
【００１５】
【図１】看板の枠体内部の構造を説明する正面図である。（実施例１）
【図２】同看板の側面より枠体を表示した説明図である。（実施例１）
【図３】同看板の側面と平面よりの内部構造を表示した説明図である。（実施例１）
【図４】同看板の内部構造を説明する拡大平面図である。（実施例１）
【図５】照明器具を着脱可能に取付けた看板の内部構造を説明する拡大正面図である。（実施例１）
【図６】チエーン又はワーヤーに着脱可能に取付けた照明器具を巻き下ろした枠体の内部の状態を説明する拡大側面図である。（実施例１）
【図７】チエーン又はワーヤーに着脱可能に取付けた照明器具を巻き上げた枠体の内部の状態を説明する拡大側面図である。（実施例１）
【図８】チエーン又はワーヤーに表示板を着脱可能に取付けた看板の内部構造を説明する拡大正面図である。（実施例１）
【符号の説明】
【００１６】
１    看板
２    照明器具の巻上げ巻き下し用回転ｊ軸
３，３ａ，３ｂ    表示板の巻上げ巻き下し用回転ｊ軸
４ａ，４ｂ    正逆回転可能な減速器付きモーター
５    照明ランプ
６    チエーン又はワイヤーの案内溝
７    照明器具
８    照明器具の昇降用チエーン又はワイヤー
９，１０，１１    チエーン又はワイヤーの巻き取り枠    
１２ａ，１２ｂ    看板の表裏に設けた表示板の昇降用チエーン又はワイヤー
１３    看板の表示板（若しくは表示シート）
１４    表示板の着脱用取付け板
１５，１６，１７    滑りローラ又はスプロケット
【図１】
2006047513.tif 000003
【図２】
2006047513.tif 000004
【図３】
2006047513.tif 000005
【図４】
2006047513.tif 000006
【図５】
2006047513.tif 000007
【図６】
2006047513.tif 000008
【図７】
2006047513.tif 000009
【図８】
2006047513.tif 000010